(57)【要約】【課題】周期的に放送される所定の番組を録画する場合に、目的の番組を必要なだけ確実に録画する録画装置を提供する。【解決手段】  録画装置１は、チューナ、復調部、デコーダ、画像合成部、制御部、メモリ等を備える。チューナ、復調部、デコーダにより、映像データと音声データとＥＰＧデータとを抽出する。制御部内のＲＯＭには、録画予約プログラムと、録画指示プログラムなどが記録されており、制御部は、録画時刻調整プログラムを実行することにより、次週の録画前に予め電子番組表を調査して、時間的ずれがないかを調べる（ＳＴ１）。時間的ずれがない場合には、録画予定時刻に録画を開始する。時間的ずれや日付のずれがある場合には、録画予約情報を更新し（ＳＴ３〜ＳＴ６）、番組が放映されていないのが２回目であると、録画予約情報を削除する。【選択図】図５
2008148190.tif 000002
【特許請求の範囲】
【請求項１】
放送局から伝送されてきたテレビ放送信号と電子番組表とを受信する受信手段と、
前記電子番組表を表示画面に表示するための表示信号を出力する表示手段と、
前記電子番組表の表示信号が出力されている状態で、前記電子番組表の中の番組から録画予約する番組の選択を受け付けると共に、該選択した番組を所定の周期ごとに録画する旨の選択を受け付ける録画予約受付手段と、
前記録画予約した番組についての録画予約情報を記憶する記憶手段と、
前記録画予約を受け付けた場合に、前記録画予約情報に基づいて番組の録画の開始を指示する録画指示手段と、を備える録画装置において、
前記録画予約情報に含まれる番組名を、前記放送予定日の前後Ｎ日分の電子番組表から検出して該検出した番組名に対応する番組の情報を検出する検出手段であって、前記電子番組表の番組名との前記録画予約情報内の番組名との類似度を各々計算し、所定の閾値以上であるものを検出する検出手段と、
前記録画予約受付手段により、所定周期ごとに録画することを受け付けた場合に、前記録画予約を受け付けた日以降または前回録画した日以降で、各々の録画予定日前の予め定めたＮ日前に、以下の制御を行う録画時刻制御手段と、を備える録画装置。
（Ａ）前記記憶手段に記憶された前記録画予約情報に含まれる番組名を検出した場合には、この録画予約情報を前記検出手段により取得した番組の情報に更新し、
（Ｂ）前記記憶手段に記憶された前記録画予約情報に含まれる番組名を検出できなかった場合には、その番組を録画しないよう前記録画指示手段に対して指示し、
（Ｃ）前記記憶手段に記憶された前記録画予約情報に含まれる番組名を複数回連続して検出できなかった場合には、前記記憶手段に記憶された該録画予約情報を無効にする。
【請求項２】
放送局から伝送されてきたテレビ放送信号と電子番組表とを受信する受信手段と、
前記電子番組表を表示画面に表示するための表示信号を出力する表示手段と、
前記電子番組表の表示信号が出力されている状態で、前記電子番組表の中の番組から録画予約する番組の選択を受け付けると共に、該選択した番組を所定の周期ごとに録画する旨の選択を受け付ける録画予約受付手段と、
前記録画予約を受け付けた番組の番組名や放送時刻を含む録画予約情報を記憶する記憶手段と、
前記録画予約を受け付けた場合に、前記録画予約情報に基づいて番組の録画の開始を指示する録画指示手段と、を備える録画装置において、
前記録画予約情報に含まれる番組名を前記電子番組表から検出し、該検出した番組名に対応する番組の情報を取得する検出手段と、
前記録画予約受付手段により、所定周期ごとに録画することを受け付けた場合に、各々の録画予定日前に以下の制御を行う録画時刻制御手段と、を備える録画装置。
（Ａ）前記記憶手段に記憶された前記録画予約情報に含まれる番組名を検出した場合には、この録画予約情報を前記検出手段により取得した番組の情報に更新し、
（Ｂ）前記記憶手段に記憶された前記録画予約情報に含まれる番組名を検出できなかった場合には、その番組を録画しないよう前記録画指示手段に対して指示し、
（Ｃ）前記記憶手段に記憶された前記録画予約情報に含まれる番組名を複数回連続して検出できなかった場合には、前記記憶手段に記憶された該録画予約情報を無効にする。
【請求項３】
請求項２の録画装置において、前記（Ｃ）の代わりに、以下の（Ｄ）の動作を行う。
（Ｄ）前記記憶手段に記憶された前記録画予約情報に含まれる番組名を複数回連続して検出できなかった場合には、前記録画予約内容の確認表示をする。
【請求項４】
前記録画時刻制御手段は、前記録画予約を受け付けた日または前回録画した日以降で、各々の録画予定日前の予め定めたＮ日前に作動し、前記（Ａ）において、前記録画予約情報内の番組名を、前記放送予定日の前後Ｎ日分の電子番組表から検出する請求項２〜３のいずれかに記載の録画装置。
【請求項５】
前記検出手段は、前記電子番組表の番組名と前記録画予約情報内の番組名との類似度を各々計算し、所定の閾値以上であるものを検出する請求項２〜４のいずれかに記載の録画装置。
【発明の詳細な説明】
【技術分野】
【０００１】
本発明は、電子番組表から番組を選局して録画する録画装置に関し、特に周期的に所定の番組を録画する機能を備えた録画装置に関する。
【背景技術】
【０００２】
現行のデジタル放送において、放送局は、放送番組（以下、単に「番組」という。）の他に、番組情報を放送している。詳述すると、放送局は、番組情報として、数時間先の番組内容や、チャンネル内容等を送出する。受信側の放送受信装置は、放送局側から伝送されてきた該番組情報を受信する。そして、放送受信装置は、該番組情報から電子番組表を作成し、画面上でその電子番組表をユーザに提供している。電子番組表は、例えばＥＰＧ（Electronic Program Guide）である。
【０００３】
近年、放送が多チャンネル化することによって、番組の内容も多種多様化しているが、この電子番組表を利用することによって、ユーザは、選局を簡単に行うことができる。
一方、特許文献１には、録画予約時刻の設定を柔軟に行う記録装置が提案されている。
【特許文献１】特開２００６−５０３０２公報
【発明の開示】
【発明が解決しようとする課題】
【０００４】
しかしながら、周期的に（例えば毎週、毎日のある時刻に）録画をする場合には、いったんＥＰＧで録画予約の設定をすると、その後の番組について最初に録画する時間、日付だけしか記憶せず、その後の録画時刻や録画の日付の変更に対応できないような柔軟性がないものであった。したがって、野球放送の延長により開始時刻が伸びた場合などでは、誤ったものを録画したり、途中から目的の番組が始まって途中で終わったりするなど、目的の番組を完全に録画することができない場合があった。
【０００５】
また、従来の録画装置は、連続ドラマが終わっても、ユーザが録画の終了を能動的に指示しない限り、続けて録画されていた。したがって、記録容量を無駄にしたり、改めて消去するなどのユーザにわずらわしい処理を要求する虞があった。
【０００６】
本発明は、このような従来の課題を解決しようとするものであり、周期的に放送される所定の番組を録画する場合に、目的の番組を必要なだけ確実に録画する録画装置を提供することを目的とする。
【課題を解決するための手段】
【０００７】
本発明の放送受信装置は、前記課題を解決するために以下の構成を備えている。
【０００８】
（１）  放送局から伝送されてきたテレビ放送信号と電子番組表とを受信する受信手段と、
前記電子番組表を表示画面に表示するための表示信号を出力する表示手段と、
前記電子番組表の表示信号が出力されている状態で、前記電子番組表の中の番組から録画予約する番組の選択を受け付けると共に、該選択した番組を所定の周期ごとに録画する旨の選択を受け付ける録画予約受付手段と、
前記録画予約を受け付けた番組の番組名や放送時刻を含む録画予約情報を記憶する記憶手段と、
前記録画予約を受け付けた場合に、前記録画予約情報に基づいて番組の録画の開始を指示する録画指示手段と、を備える録画装置において、
前記録画予約情報に含まれる番組名を前記電子番組表から検出し、該検出した番組名に対応する番組の情報を取得する検出手段と、
前記録画予約受付手段により、所定周期ごとに録画することを受け付けた場合に、各々の録画予定日前に以下の制御を行う録画時刻制御手段と、を備える録画装置。
（Ａ）前記記憶手段に記憶された前記録画予約情報に含まれる番組名を検出した場合には、この録画予約情報を前記検出手段により取得した番組の情報に更新し、
（Ｂ）前記記憶手段に記憶された前記録画予約情報に含まれる番組名を検出できなかった場合には、その番組を録画しないよう前記録画指示手段に対して指示し、
（Ｃ）前記記憶手段に記憶された前記録画予約情報に含まれる番組名を複数回連続して検出できなかった場合には、前記記憶手段に記憶された該録画予約情報を無効にする。
【０００９】
この構成では、所定の周期ごとに録画する旨の選択を受け付けた場合に、録画時刻制御手段は、（Ａ）前記記憶手段に記憶された前記録画予約情報に含まれる番組名を検出した場合には、この録画予約情報を前記検出手段により取得した番組の情報に更新する。ここで、録画指示手段は、この更新された録画予約情報を基にして録画の開始を指示するから、録画する時刻を調整することができる。したがって、時刻にずれがあっても、確実に録画することができる。
【００１０】
また、（Ｂ）前記記憶手段に記憶された前記録画予約情報に含まれる番組名を検出できなかった場合には、その番組を録画しないよう前記録画指示手段に対して指示する。したがって、関係のない番組を録画したりして記録容量を無駄にしたり、改めて消去するなどのユーザにわずらわしい処理を要求する虞を解消できる。さらに、（Ｃ）前記録画予約情報に含まれる番組名を複数回連続して検出できなかった場合には、前記記憶手段に記憶された該録画予約情報を無効にする。これにより、録画予約した番組と関係のない番組を録画したりして、記録可能容量を減らし続けるといった虞を解消できる。
【００１１】
以上のとおり、この構成によれば、周期的に放送される所定の番組を録画する場合に、目的の番組を必要なだけ確実に録画することができる。
【００１２】
（２）  請求項２の録画装置において、前記（Ｃ）の代わりに、以下の（Ｄ）の動作を行う。
（Ｄ）前記記憶手段に記憶された前記録画予約情報に含まれる番組名を複数回連続して検出できなかった場合には、前記録画予約内容の確認表示をする。
【００１３】
前記記憶手段に記憶された前記録画予約情報に含まれる番組名を複数回連続して検出できなかった場合には、放送番組が終了していると判断できる。この構成によれば、放送番組が終了していると判断できる場合に、録画の前記録画予約内容の確認表示を行うので、ユーザの便宜に供する。
【００１４】
（３）  前記録画時刻制御手段は、前記録画予約を受け付けた日または前回録画した日以降で、各々の録画予定日前の予め定めたＮ日前に作動し、前記（Ａ）において、前記録画予約情報内の番組名を、前記放送予定日の前後Ｎ日分の電子番組表から検出する。
【００１５】
この構成では、前記（Ａ）において、前記録画予約情報に対応する番組名を、前記放送予定日の前後Ｎ日分の電子番組表から検出する。放送日にずれがあっても柔軟に放送日を修正することができる。したがって周期的に放送される所定の番組を確実に録画できる。
【００１６】
（４）  前記検出手段は、前記電子番組表の番組名と前記録画予約情報内の番組名との類似度を各々計算し、所定の閾値以上であるものを検出する。
【００１７】
この構成では、電子番組表の番組名と前記録画予約情報内の番組名との類似度を用いて判断するので、電子放送番組表の番組名が完全に一致しなくても、柔軟に放送時刻（放送日）を修正することができる。したがって周期的に放送される所定の番組を録画する場合に、より確実に番組を録画できる。
【発明の効果】
【００１８】
この発明によれば、周期的に放送される所定の番組を録画する場合に、目的の番組を必要なだけ確実に録画することができる。
【発明を実施するための最良の形態】
【００１９】
以下、本発明の実施形態であるデジタル放送録画装置について説明する。
【００２０】
図１は、本発明の実施形態であるデジタル放送録画装置の主要な構成を示すブロック図である。録画装置１は、選択されたチャンネル（以下、ＣＨと称する）のテレビ放送信号を抽出するチューナ１１と、抽出したテレビ放送信号をデジタルデータに復調する復調部１２と、復調したデジタルデータから映像データと音声データとを分離し、両データを伸長するデコーダ１３と、所望のＯＳＤ（On Screen Display）と映像データに基づく映像とを合成する画像合成部１４と、映像データと音声データとの信号をアナログの信号に変換するＤ／Ａ変換部１５と、ユーザの操作を受付ける操作部１８と、装置の各部を制御する制御部２と、ＥＰＧデータや制御情報、録画予約情報を記憶するメモリ２６と、録画した映像信号を記録する記録部２７と、を備える。また、録画装置１の外部に、映像を表示する表示部１０２と、音声を装置外部に発生するスピーカ１０３を備える。
【００２１】
チューナ１１は、アンテナ３０で受信しているテレビ放送信号から、制御部２により選択されているチャンネルのテレビ放送信号を抽出（受信）し、出力する。
復調部１２は、チューナ１１から出力されたテレビ放送信号をデジタルデータであるトランスポートストリームに復調し、出力する。
【００２２】
なお、チューナ１１の代わりにアナログチューナからＡ／Ｄ変換した映像信号をデコーダ１３に入力するものでもよい。電子番組表は、インターネット、文字放送など回線と通信する通信部を備えて入力するものでもよい。
【００２３】
デコーダ１３は、復調部１２から出力されたトランスポートストリームから、映像データと音声データとＥＰＧデータとを分離抽出する。ここで、分離抽出された映像データは、例えばＭＰＥＧでエンコードされている。そして、デコーダ１３は、映像データをデコードし、画像合成部１４に出力する。出力された映像データは、画像合成部１４を介して、Ｄ／Ａ変換部１５に入力される。また、デコーダ１３は、音声データをデコードし、Ｄ／Ａ変換部１５に出力する。また、デコーダ１３は、該ＥＰＧデータを制御部２に出力する。
【００２４】
画像合成部１４は、不図示の画像メモリを内蔵する。画像メモリは、例えばＶＲＡＭ（Video Random Access Memory）である。画像合成部１４は、制御部２から与えられる制御信号に基づいて、映像データに基づく映像と、画像メモリが記憶している文字又は図形と、を合成する。
【００２５】
画像合成部１４は、ＥＰＧデータを画像データに変換する。そして、画像合成部１４は、その画像データを単独で、Ｄ／Ａ変換部１５に出力する。又は、画像合成部１４は、その画像データに基づく画像をデコーダ１３から出力された映像データに基づく映像に合成して、合成データ（表示信号）を形成する。そして、画像合成部１４は、その合成データをＤ／Ａ変換部１５に出力する。これにより、例えば図３に示すようなＥＰＧの画像を表示部１０２に表示させる。
【００２６】
Ｄ／Ａ変換部１５は、デコーダ１３が出力した映像データの信号をアナログの映像信号に変換し、表示部１０２に出力する。表示部１０２は、例えばＬＣＤ（Liquid Crystal Display）である。また、Ｄ／Ａ変換部１５は、デコーダ１３が出力した音声データの信号をアナログの音声信号に変換し、スピーカ１０３に出力する。
ユーザは、表示部１０２およびスピーカ１０３において、Ｄ／Ａ変換部１５から出力された映像信号に基づく映像と音声信号に基づく音声とを視聴することができる。
【００２７】
操作部１８は、タクトスイッチや赤外線リモコン装置のいずれかを含み、入力された命令を制御部２に伝送する。操作部１８は、例えば、ＥＰＧの表示、電源のON／OFF、チャンネルの選択、録画予約の指示、音量の調整等の命令（コマンド）の入力を受け付ける。
【００２８】
制御部２は、例えばマイクロコンピュータで構成される。制御部２は、上記制御プログラムにより処理されるデータ等を展開するためのワークフィールドとしてのＲＡＭ（不図示）を内蔵する。
【００２９】
制御部２は、デコーダ１３から出力されたＥＰＧデータをメモリ２６に記録する。メモリ２６は、例えばＥＥＰＲＯＭで構成される。そして、制御部２は、ＥＰＧの表示が指示された時、メモリ２６に記憶されているＥＰＧデータを読出し、画像合成部１４に出力する。
【００３０】
記録部２７は、各種記録媒体（ＨＤ、ＤＶＤ、メモリカード）の読み書き部であり、それぞれに対応して、ＨＤドライブ、ＤＶＤ読み取り／記録部、カード読み書き部を備えている。録画の開始が指示された場合には、デコードされた映像信号を記録する。
【００３１】
図２は、制御部２内のブロック図である。制御部のＲＯＭには、録画予約プログラム２１と、ＯＳＤ制御プログラム２２（ＥＰＧ表示プログラム２２１を含む。）、録画時刻調整プログラム２３、録画指示プログラム２４を記憶している。
録画予約プログラム２１は、操作部１８から録画予約ボタンの押し下げを受けた場合に制御部２が動作させるものである。録画予約プログラム２１を実行すると、制御部２は、ＥＰＧ表示プログラム２２１により表示した状態で、所定の操作入力を受け付け、録画予約のための録画予約情報（録画予定曜日、時刻、放送局、チャンネル番組名など）をメモリ２６に記録する。また、録画予約情報をメモリ２６でなくハードディスクに記憶してもよい。
【００３２】
ＯＳＤ制御プログラム２２を実行すると、ＲＯＭ内の枠画像と録画予約時に入力されたデータを画像に変換したデータとを合成し、画像合成部１５の画像メモリに送る。また、制御部２が、録画予約時に入力されたデータを画像に変換したデータのみを出力し、画像合成部１５がその画像メモリに記憶した枠画像と合成するものでもよい。
【００３３】
ＯＳＤ制御プログラム２２には、ＥＰＧ表示プログラム２２１を含んでおり、これを実行すると、メモリ２６に記憶されたＥＰＧデータから、ＥＰＧ（電子番組表）を表示する映像信号を作成する。
【００３４】
録画時刻調整プログラム２３は、周期的な録画予約（後述）を受け付けた場合に、番組開始時刻の変更や終了があった場合に録画予約情報の録画開始時刻等を調整したり、録画予約を解除したりするプログラムである。録画時刻調整プログラム２３には、サプブログラムとして番組検出プログラム２３１を含んでいる。制御部２が、番組検出プログラム２３１を実行すると、チューナ１１にＥＰＧを受信させ、その受信したＥＰＧの中から、メモリ２６内の録画予約情報に含まれる番組名と対応する番組名を検出し、その番組の情報を取得する。
【００３５】
この検出動作において、番組検出受信したＥＰＧデータと、録画予約情報として記憶した番組とを比較して言葉の類似度を算出する。この類似度を算出することにより、完全に放送番組名が一致しなくても、正確な放送時刻（放送日）を柔軟に検出することができる。
【００３６】
録画指示プログラム２４は、所定間隔ごとに起動され、タイマ２９の時刻とメモリ２６に記憶した録画予約情報内の録画時刻とを参照して、その時刻に到達していれば、記録部２７に指示して、録画を開始させる。
【００３７】
図３は、録画予約時に表示するＥＰＧ画面の表示例（Ａ）と、録画予約の時間等の設定表示（Ｂ）を示す図である。ユーザは、このＥＰＧを利用することによって、番組の選択をするだけで番組の録画予約を行うことができる。録画予約ボタンが押し下げられると録画予約プログラム２１が起動し、（Ａ）に示すようなＥＰＧを表示部１０２に表示する。現在選択されている番組「リンカーン」は、ハイライト表示されており、このハイライト表示は、操作部１８のリモコンまたは本体に付属の十字キーの押し下げにより、上下左右に移動させることができる。所定の決定キーが押し下げられると、録画予約プログラム２１から呼び出したＯＳＤ制御プログラム２２により、（Ｂ）に示すような画面を表示させる。この画面には、録画予約のための各種の情報が記載されている。この画面を表示した状態で、録画予約プログラム２１は、ユーザから録画モード、録画する記録媒体の選択を受け付ける待機状態となる。録画モードでは、録画する画質の選択を受け付ける。記録媒体の選択では、ハードディスク、ＤＶＤ、メモリカード等の選択を受け付ける。また、決定ボタンの押し下げを操作部１８から受けると、メモリ２６に録画予約情報を記憶させる。また、（Ｂ）の画面では、周期的な録画の設定ができ、（Ｂ）に示すように毎週火曜日に録画する設定が可能である。このような設定で録画予約された場合には、録画予約プログラム２１は、この情報もメモリ１６に記憶させる。
【００３８】
図４は、前述のとおり毎週など周期的に録画する指示を受けた場合に、録画予約時間の調整方法を表す例を示す。制御部２は、録画予定日よりも予め定めた所定の日付前、例えば２日前になったことをタイマ２９の時刻と比較して検出する。そして、このタイミングで、録画時刻調整プログラム２３を起動し、メモリ２６内のＥＰＧデータを調査して、指定された番組名と合致しているものの放送時間を判断し、自動的に調整する。
例えば、図４（Ａ）に示すように、ＥＰＧデータ（２２１Ａ参照）を参照すると、指定された番組の開始時間が予め設定した時刻が録画予約された枠２２２Ａより早い場合には、枠２２２Ａを調整して、録画開始時刻、終了時刻をＥＰＧのデータに合わせる。実装上は、メモリ２６内の録画予約情報を更新することによりこの枠を修正する。また、（Ｂ）に示すように、ＥＰＧデータ（２２１Ｃ参照）を参照すると、指定された番組の開始時間が予め設定した時刻が枠２２２Ａより遅い場合にも、（Ａ）と同様に、枠２２２Ａを調整して、録画開始時刻、終了時刻をＥＰのデータ（２２１Ｄ参照）に合わせる。
これらの調整動作により、メモリ２６内の録画予約情報を更新されると、録画指示プログラム２４は、更新された録画予約情報に基づいて録画開始時を決定する。したがって、例えば野球放送などにより放送開始時刻がずれた場合でも、過不足なく指定された番組を録画することができる。
【００３９】
なお、実装上、録画時刻調整プログラム２３の動作時に、図４のような画面表示はしないし、画面表示のデータを作成する必要はない。また、録画時刻調整プログラム２３を起動するのは、録画予約を受け付けた日以降または前回録画した日以降とする。
【００４０】
図５は、毎週など周期的に録画する指示を受けた場合に、制御部がＥＰＧを用いて録画予約時間を調整する方法を表す１例である。この動作では、制御部２が録画時刻調整プログラム２３を動作させ、録画予定日よりも予め定めた所定の日付前（例えば、２日前）になったことを検出して動作させる。
【００４１】
ＳＴ１では、録画予定時刻に録画予約された番組があるか判断する。録画予定時刻に録画予約された番組があれば（ＳＴ１のＹＥＳ）、ＳＴ２で録画予約状態にし、録画指示プログラム２４、記録部２６により、録画予定時刻に録画を開始させる。
【００４２】
ＳＴ３は、録画予定時刻に録画予約された番組がない場合（ＳＴ１のＮＯ）に分岐する。ＳＴ３では、録画予定日に録画予定された番組と類似の番組があるか判断する。この類似しているか否かの判断では、文字の類似度を計算し、類似度が所定の閾値以上か判断する（以下、類似度の計算については同様とする。）。この類似度は、例えば一致している文字の割合とすることができ、このとき、閾値を例えば８０％とすることができる。
【００４３】
ＳＴ１のＮＯに分岐した場合に、録画予定日に録画予定された番組と類似の番組がある場合には（ＳＴ３のＹＥＳ）、時刻が変更されたものと判断できる。この場合、ＳＴ４でメモリ２６に記録した録画予定時刻を修正する。録画予定日に録画予定された番組と類似の番組がない場合には（ＳＴ２のＮＯ）、ＳＴ５に移動する。
【００４４】
ＳＴ５では、録画予定日±２日に、録画予定された番組と類似の番組があるか判断する。録画予定日±２日に、録画予定された番組と類似の番組があれば（ＳＴ５のＹＥＳ）、ＳＴ６で、録画予定日付、時刻を調整し、ＳＴ２で調整した時刻に録画を開始させる。録画予定日±２日に録画予定された番組と類似の番組がない場合には（ＳＴ５のＮＯ）、ＳＴ７に移動する。
【００４５】
なお、ＳＴ５で録画予定日±Ｎ日とした場合には、このフローを、前回の録画時以降で、録画予定日のＮ日前以前に動作させる必要がある。また、毎日放送される番組であれば、録画予定日の前日に判断すれば足りる。
【００４６】
ＳＴ７に分岐した場合には、番組が終了したか、その週には放送されなかったと判断できる。そこで、番組がないのは連続２回目かどうか判断する。放送されなかったと判断した場合であって、番組がないのは１回目の場合（ＳＴ７のＮＯ）、ＳＴ９に移動し、録画指示プログラム２４に対し、録画を禁止する。具体的には、メモリ２６に記憶した録画予約情報に録画禁止のフラグ情報を付加して記憶する。この場合、録画指示プログラム２４は、ＳＴ２の録画をせずに終了するが、録画時刻調整プログラム２３は、次の週もこのフローの最初から判断する。
さらに、ＳＴ７で、番組がないのは連続２回目の場合（ＳＴ７のＹＥＳ）、ＳＴ８に移動して、連続番組が終了したと判断し、録画予約を削除する。これにより、ユーザに手間をかけることなく、終了した番組を記録しないですむ。
【００４７】
図６は、図５とは異なる録画時刻の調整処理のフローの例を示している。図６は、図５のＳＴ８の代わりにＳＴ１８を用いている点以外はすべて同一であり、以上の説明を適用する。ＳＴ１８では、録画装置１本体に警告表示を行う。例えば「連続番組が終了しています。」という表示をする。これにより注意を促す。
【００４８】
なお、録画装置１が起動されたときは、この表示をしてもよい。また、ＳＴ７で放送番組が検出されないのは連続２回目かを判断して、２回目とすれば（ＳＴ７のＹＥＳ）、ＳＴ１８で警告表示し、さらにＳＴ７で３回目であることを判断して、ＳＴ８のように予約を削除するようにしてもよい。
また、ＳＴ５で、予約日±２日としたが、この±２は初期設定で変えられるようにしてもよい。また、毎日録画する場合にはＳＴ５は必要がなく、ＳＴ３で予定日に番組がない（ＳＴ３のＮＯ）となると、その日は直ちに番組がないものとなる。
【００４９】
また、メモリ２６に記憶した録画予約情報とＥＰＧデータは、制御部内に記憶するものでもよい。これら録画予約情報とＥＰＧデータは、装置内に記憶されていて制御部２がアクセスできるのであれば、どこに記憶していてもよい。なお、録画予約情報は、録画が終了するまで記憶を保持する必要がある。
以上の説明では、ＳＴ９でフラグを用いて録画禁止の指示を行ったが、直接録画指示プログラムの呼び出し時に指示するものでもよい。
また、必ずしもＥＰＧと録画予約情報にかかる番組名との類似度を比較しなくても、単に同一番組を検出するものであってもよい。また、以上の説明では、ＳＴ１→ＳＴ３→ＳＴ５というような順序で放送時を検出したが、前回の録画時以降で録画予定日のＮ日前以前のＥＰＧデータ全体について所定の番組があるか検出できれば、放送番組放送時間のずれがあるかにかかわらず、番組予約情報を更新する構成でもよい。
また、ＳＴ７では連続２回としたが、３回以上とする実施形態も可能である。
【図面の簡単な説明】
【００５０】
【図１】本発明の実施形態であるデジタル放送録画装置の主要な構成を示すブロック図
【図２】本発明の実施形態であるデジタル放送録画装置の制御部内のブロック図
【図３】本発明の実施形態であるデジタル放送録画装置のＥＰＧを用いた録画予約画面の例
【図４】本発明の実施形態であるデジタル放送録画装置のＥＰＧを用いた録画予約時間の調整方法を表す例
【図５】本発明の実施形態であるデジタル放送録画装置の録画時刻の調整処理のフローの例
【図６】図５とは異なる録画時刻の調整処理のフローの例
【符号の説明】
【００５１】
１−録画装置、  １１−チューナ(受信手段)、  １２−復調部、
１３−デコーダ、  １４−画像合成部(表示手段)、  １５−Ｄ／Ａ変換部、
１８−操作部、  ２−制御部、  ２１録画予約プログラム(録画予約受付手段)、
２２−ＯＳＤ制御プログラム(表示手段)、  ２２１−ＥＰＧ表示プログラム、
２３−録画時刻調整プログラム(録画時刻制御手段)、
２３１−番組検出プログラム（検出手段）、
２４−録画指示プログラム(録画指示手段)、
２６―メモリ（記憶手段）、  ２７−記録部、  ２９−タイマ、
１０１−アンテナ、  １０２−表示部、  １０３−スピーカ
【図１】
2008148190.tif 000003
【図２】
2008148190.tif 000004
【図３】
2008148190.tif 000005
【図４】
2008148190.tif 000006
【図５】
2008148190.tif 000007
【図６】
2008148190.tif 000008